(57)【要約】【課題】ダミー走査線を選択する期間を短くする。【解決手段】走査線駆動回路２００は、第１行〜第４行の走査線に走査信号Ｇ１〜Ｇ４を出力する。これらの信号波形は同一である。また、走査線駆動回路２００は、第６０５行〜第６０８行の走査線に信号波形が同一となる走査信号Ｇ６０５〜Ｇ６０８を出力する。従って、第１行〜第４行の走査線は同じ水平走査期間で選択され、第６０５行〜第６０８行の走査線は同じ水平走査期間で選択される。これによって、ダミー走査線を選択する期間を短くすることができる。【選択図】図４
2012168307.tif 000002
【特許請求の範囲】
【請求項１】
複数のダミー走査線を含む複数の走査線と、
複数のデータ線と、
前記複数の走査線の各々に走査信号を供給する走査線駆動回路と、
前記複数の走査線と前記複数のデータ線との交差に対応して設けられ、前記走査信号がアクティブとなる期間において前記データ線を介して供給されるデータ信号を取り込む複数の画素とを備え、
前記複数の画素は、画像の表示に寄与する有効画素と、画像の表示に寄与しないダミー画素とを含み、
前記複数のダミー走査線には、前記ダミー画素が接続され、
前記走査線駆動回路は、前記複数のダミー走査線のうち２以上のダミー走査線に同じ走査信号を供給する、
ことを特徴とする電気光学装置。
【請求項２】
前記複数の走査線のうち、前記複数のダミー走査線以外の走査線を通常走査線としたとき、前記複数のダミー走査線は、前記通常走査線が配置される領域よりも外側に第１群が配置され、前記領域を挟んで前記第１群と対向する位置に第２群が配置され、
前記走査線駆動回路は、前記第１群のダミー走査線に第１の走査信号を供給すると共に、前記第１の走査信号と異なるタイミングでアクティブとなる第２の走査信号を前記第２群のダミー走査線に供給する、
ことを特徴とする請求項１に記載の電気光学装置。
【請求項３】
前記ダミー画素には、所定階調を表示させるダミー信号が書き込まれ、
前記第１の走査信号と前記第２の走査信号との論理和を演算して論理和信号を出力する
論理和回路と、
表示すべき画像の階調を示す画像信号と前記ダミー信号とが供給され、少なくとも前記論理和信号がアクティブな期間において、前記ダミー信号を選択して時分割多重されたデータ信号を出力する選択手段と、
前記データ信号をサンプリングして前記複数のデータ線に供給するサンプリング手段とを備える、
ことを特徴とする請求項２に記載の電気光学装置。
【請求項４】
前記ダミー画素には、所定階調を表示させるダミー信号が書き込まれ、
前記第１の走査信号と前記第２の走査信号との論理和を演算して論理和信号を出力する論理和回路と、
プリチャージ信号と前記ダミー信号とが供給され、少なくとも前記論理和信号がアクティブな期間において前記ダミー信号を選択し、プリチャージ期間において前記プリチャージ信号を選択して、前記複数のデータ線に供給するプリチャージ手段と、
を備えることを特徴とする請求項２に記載の電気光学装置。
【請求項５】
前記ダミー画素には、所定階調を表示させるダミー信号が書き込まれ、
所定数の前記データ線ごとに設けられた、複数のデマルチプレクサーと、
前記複数のデマルチプレクサーの各々に前記所定数の前記データ線に供給する前記所定数のデータ信号を時分割多重した信号を供給するデータ線駆動回路と、
前記所定数の前記データ線を選択する選択信号を生成して前記複数のデマルチプレクサーに供給する制御回路とを備え、
前記制御回路は、
前記第１の走査信号と前記第２の走査信号との論理和を演算して論理和信号を出力する論理和回路を備え、
前記論理和信号がアクティブとなる期間において、前記所定数のデータ線を全て選択する前記選択信号を生成する、
ことを特徴とする請求項２に記載の電気光学装置。
【請求項６】
前記複数の走査線のうち、前記複数のダミー走査線以外の走査線を通常走査線としたとき、前記複数のダミー走査線は、前記通常走査線が配置される領域よりも外側に第１群が配置され、前記領域を挟んで前記第１群と対向する位置に第２群が配置され、
前記走査線駆動回路は、前記第１群のダミー走査線と前記第２群のダミー走査線に同じ走査信号を供給する、
ことを特徴とする請求項１に記載の電気光学装置。
【請求項７】
前記複数のデータ線の一部には複数のダミーデータ線が含まれ、
前記複数のデータ線のうち、前記複数のダミーデータ線以外のデータ線を通常データ線としたとき、
前記複数のダミーデータ線は、前記通常データ線が配置される領域よりも外側に第１群が配置され、前記領域を挟んで前記第１群と対向する位置に第２群が配置され、
前記ダミーデータ線には前記ダミー画素が接続される、
ことを特徴とする請求項１乃至６のうちいずれか１項に記載の電気光学装置。
【請求項８】
請求項１乃至７のうちいずれか１項に記載した電気光学装置を備えたことを特徴とする電子機器。
【発明の詳細な説明】
【技術分野】
【０００１】
本発明は、表示に寄与しない画素を備えた電気光学装置及び電子機器に関する。
【背景技術】
【０００２】
従来の液晶表示装置では、画像を表示するための有効表示領域の他に、有効表示領域の周辺に画像の表示に寄与しないダミー画素領域を設けるものが知られている。特許文献１には、ダミー走査線と通常の走査線とを備え、走査線駆動回路がこれらを順次走査する技術が開示されている。
【先行技術文献】
【特許文献】
【０００３】
【特許文献１】特開２０００−１１１９４７号公報
【発明の概要】
【発明が解決しようとする課題】
【０００４】
ところで、走査線駆動回路がダミー走査線を選択する期間は、画像の表示に寄与しない。一方、電子ビューファインダー等に用いられる液晶表示装置では、周波数の低いドットクロックで高い解像度の表示を行うためにできるだけ帰線期間を短くする必要がある。そこで、ダミー走査線を選択する期間をできる限り短くすることが望まれる。
しかしながら、従来の液晶表示装置では、ダミー走査線も通常の走査線と同様に走査していたので、ダミー走査線を選択する期間を短くすることができなかった。
本発明は、上述した事情に鑑みてなされたものであり、ダミー走査線を選択する期間を短くすること等を解決課題とする。
【課題を解決するための手段】
【０００５】
この課題を解決するために、本発明に係る電気光学装置は、複数のダミー走査線を含む複数の走査線と、複数のデータ線と、前記複数の走査線の各々に走査信号を供給する走査線駆動回路と、前記複数の走査線と前記複数のデータ線との交差に対応して設けられ、前記走査信号がアクティブとなる期間において前記データ線を介して供給されるデータ信号を取り込む複数の画素とを備え、前記複数の画素は、画像の表示に寄与する有効画素と、画像の表示に寄与しないダミー画素とを含み、前記複数のダミー走査線には、前記ダミー画素が接続され、前記走査線駆動回路は、前記複数のダミー走査線のうち２以上のダミー走査線に同じ走査信号を供給することを特徴とする。
【０００６】
この発明によれば、複数のダミー走査線の各々を排他的に選択するのではなく、複数のダミー走査線のうち２以上のダミー走査線に同じ走査信号を供給するので、ダミー走査線を選択する期間を短くすることができる。これにより、画像信号を有効画素に書き込む期間を長くすることができるので、画像信号を確実に有効画素に書き込むことができ、表示画像の品質を向上させることができる。
【０００７】
上述した電気光学装置において、前記複数の走査線のうち、前記複数のダミー走査線以外の走査線を通常走査線としたとき、前記複数のダミー走査線は、前記通常走査線が配置される領域よりも外側に第１群が配置され、前記領域を挟んで前記第１群と対向する位置に第２群が配置され、前記走査線駆動回路は、前記第１群のダミー走査線に第１の走査信号を供給すると共に、前記第１の走査信号と異なるタイミングでアクティブとなる第２の走査信号を前記第２群のダミー走査線に供給する、ことが好ましい。
【０００８】
この発明によれば第１群のダミー走査線と第２群のダミー走査線とが、通常走査線が配置される領域を挟んで配置されることになる。このため、電気光学装置を液晶装置で構成する場合には、液晶セルの状態を周辺回路から有効画素の領域にかけて緩やかに変化させることができる。また、この発明によれば、第１群のダミー走査線を同時に選択すると共に、第２群のダミー走査線を同時に選択するので、画像信号を有効画素に書き込む期間を長くして、画像信号を確実に有効画素に書き込むことができ、表示画像の品質を向上させることができる。
【０００９】
上述した電気光学装置の好ましい態様は、前記ダミー画素には、所定階調を表示させるダミー信号が書き込まれ、前記第１の走査信号と前記第２の走査信号との論理和を演算して論理和信号を出力する論理和回路と、表示すべき画像の階調を示す画像信号と前記ダミー信号とが供給され、少なくとも前記論理和信号がアクティブな期間において、前記ダミー信号を選択して時分割多重されたデータ信号を出力する選択手段と、前記データ信号をサンプリングして前記複数のデータ線に供給するサンプリング手段とを備える。
【００１０】
この発明によれば、データ信号は画像信号とダミー信号とが時分割多重された信号になるが、ダミー信号を時分割多重するタイミングは、第１の走査信号と第２の走査信号の論理和で特定される。すなわち、走査線駆動回路で生成される信号を用いて、時分割多重するタイミングをするので、特別にタイミングを生成する必要がなくなり、構成を簡素化することができる。
【００１１】
上述した電気光学装置の好ましい態様は、前記ダミー画素には、所定階調を表示させるダミー信号が書き込まれ、前記第１の走査信号と前記第２の走査信号との論理和を演算して論理和信号を出力する論理和回路と、プリチャージ信号と前記ダミー信号とが供給され、少なくとも前記論理和信号がアクティブな期間において前記ダミー信号を選択し、プリチャージ期間において前記プリチャージ信号を選択して、前記複数のデータ線に供給するプリチャージ手段と、を備える。
【００１２】
この発明によれば、プリチャージ手段を用いてダミー信号を書き込むので、ダミー信号を書き込むための特別な構成を設ける必要がなくなり、構成が簡素化される。さらに、プリチャージ手段は、ダミー信号をデータ線に供給する期間を、第１の走査信号と第２の走査信号の論理和で特定する。すなわち、走査線駆動回路で生成される信号を用いて、ダミー信号をデータ線に供給するタイミングを特定するので、特別にタイミングを生成する必要がなくなり、構成を簡素化することができる。
【００１３】
上述した電気光学装置の好ましい態様は、前記ダミー画素には、所定階調を表示させるダミー信号が書き込まれ、所定数の前記データ線ごとに設けられた、複数のデマルチプレクサーと、前記複数のデマルチプレクサーの各々に前記所定数の前記データ線に供給する前記所定数のデータ信号を時分割多重した信号を供給するデータ線駆動回路と、前記所定数の前記データ線を選択する選択信号を生成して前記複数のデマルチプレクサーに供給する制御回路とを備え、前記制御回路は、前記第１の走査信号と前記第２の走査信号との論理和を演算して論理和信号を出力する論理和回路を備え、前記論理和信号がアクティブとなる期間において、前記所定数のデータ線を全て選択する前記選択信号を生成する、ことを特徴とする。
【００１４】
この発明によれば、デマルチプレクサーを用いてデータ信号をデータ線に書き込む場合に、ダミー信号をデータ信号に時分割多重する期間を、第１の走査信号と第２の走査信号の論理和で特定する。すなわち、走査線駆動回路で生成される信号を用いて、ダミー信号をデータ線に供給するタイミングを特定して選択信号を生成するので、特別にタイミングを生成する必要がなくなり、構成を簡素化することができる。
【００１５】
上述した電気光学装置の好ましい態様は、前記複数の走査線のうち、前記複数のダミー走査線以外の走査線を通常走査線としたとき、前記複数のダミー走査線は、前記通常走査線が配置される領域よりも外側に第１群が配置され、前記領域を挟んで前記第１群と対向する位置に第２群が配置され、前記走査線駆動回路は、前記第１群のダミー走査線と前記第２群のダミー走査線に同じ走査信号を供給することが好ましい。
この発明によれば、第１群及び第２群のダミー走査線を同時に選択するから、ダミー走査線を選択する期間を短くすることができる。これにより、画像信号を有効画素に書き込む期間を長くすることができるので、画像信号を確実に有効画素に書き込むことができ、表示画像の品質を向上させることができる。
【００１６】
上述した電気光学装置の好ましい態様は、前記複数のデータ線の一部には複数のダミーデータ線が含まれ、前記複数のデータ線のうち、前記複数のダミーデータ線以外のデータ線を通常データ線としたとき、前記複数のダミーデータ線は、前記通常データ線が配置される領域よりも外側に第１群が配置され、前記領域を挟んで前記第１群と対向する位置に第２群が配置され、前記ダミーデータ線には前記ダミー画素が接続される。
この発明によれば、データ線が延在する方向ばかりでなく、走査線が延在する方向にもダミー画素を設けることができるので、第１群のダミーデータ線と第２群のダミーデータ線とが、通常データ線が配置される領域を挟んで配置されることになる。このため、電気光学装置を液晶装置で構成する場合には、液晶セルの状態を周辺回路から有効画素の領域にかけてより緩やかに変化させることができる。
【００１７】
本発明に係る電子機器は、上述した電気光学装置を備えることを特徴とする。このような電子機器としては、パーソナルコンピューター、携帯電話機、投射型表示装置などが例示される。
【図面の簡単な説明】
【００１８】
【図１】第１実施形態に係る電気光学装置の全体構成を示すブロック図である。
【図２】画素の回路構成を示す回路図である。
【図３】有効画素領域とダミー画素領域とを説明するための説明図である。
【図４】走査線駆動回路の構成を示す回路図である。
【図５】走査線駆動回路の動作を示すタイミングチャートである。
【図６】制御回路のうち、データ信号の生成に関係する部分の構成を示すブロック図である。
【図７】データ信号ＶＩＤ１〜ＶＩＤ６のタイミングチャートである。
【図８】画像信号ＶＤ１〜ＶＤ６のデータ構造を示すタイミングチャートである。
【図９】第２実施形態に係る電気光学装置の構成を示すブロック図である。
【図１０】プリチャージ回路の構成を示す回路図である。
【図１１】第３実施形態に係る電気光学装置の構成を示すブロック図である。
【図１２】選択信号ＳＥＬ１〜ＳＥＬ６の生成に係る制御回路の構成を示すブロック図である。
【図１３】第１〜第６信号と第５行〜第６０４行の走査信号との関係を示すタイミングチャートである。
【図１４】第３実施形態に係る電気光学装置のタイミングチャートを示す
【図１５】変形例に係る走査線駆動回路の構成例を示す回路図である。
【図１６】図１５に示す走査線駆動回路における走査信号Ｇ１〜Ｇ６０８のタイミングチャートである。
【図１７】変形例に係る走査線駆動回路の構成例を示す回路図である。
【図１８】図１７に示す走査線駆動回路における走査信号Ｇ１〜Ｇ６０８のタイミングチャートである。
【図１９】電子機器の一例を示す外観図である。
【図２０】電子機器の一例を示す外観図である。
【図２１】電子機器の一例を示すブロック図である。
【発明を実施するための形態】
【００１９】
以下、本発明の実施形態について図面を参照して説明する。
＜１.第１実施形態＞
図１は、第１実施形態に係る電気光学装置の全体構成を示すブロック図である。電気光学装置１は、電気光学パネルＡと制御回路４００とを備える。電気光学パネルＡには、走査線駆動回路２００、シフトレジスター３００、オア回路１４４、及び複数の画素１１０などが形成されている。
このうち、制御回路４００は、図示しない上位装置から供給される垂直走査信号Ｖｓ、水平走査信号Ｈｓおよびドットクロック信号ＤＣＬＫから、各部を制御するためのタイミング信号やクロック信号などを生成する。
【００２０】
制御回路４００は、上位装置から供給される入力画像信号Ｖｉｎを、６つの系統に分配するとともに、それぞれ時間軸に６倍に伸長（シリアル−パラレル変換または相展開ともいう）して、画像信号ＶＤ１、ＶＤ２、…ＶＤ６を生成する。
そして、後述するように、制御回路４００は、これらの画像信号ＶＤ１、ＶＤ２、…ＶＤ６と、プリチャージ信号Ｖｐｒｅ及びダミー信号Ｖｄｍとを時分割多重して、相展開されたデータ信号ＶＩＤ１、ＶＩＤ２、…ＶＩＤ６を生成する（図７参照）。
【００２１】
ここで、プリチャージ信号Ｖｐｒｅは、画像信号ＶＤ１、ＶＤ２、…ＶＤ６をデータ線１１４に供給する前に、データ線１１４の電位を画像信号の電位に近づけるために用いられる。データ線１１４には大きな寄生容量が付随するためデータ線１１４の等価回路は大きな時定数を有する。そこで、プリチャージ信号Ｖｐｒｅを寄生容量に書き込むことによって、データ線１１４の電位を画像信号の電位に近づけることができ、正確に画像信号を画素１１０に書き込むことが可能となる。
次に、ダミー信号Ｖｄｍは、後述するダミー画素の階調を指定する。この例では、最小階調を指定する。従って、ダミー画素では、「黒」が表示されることになる。
【００２２】
電気光学パネルＡには、複数本の走査線１１２が行方向（Ｘ方向）に延接される一方、複数本のデータ線１１４が図において列方向（Ｙ方向）に延設されている。そして、これらの走査線１１２とデータ線１１４との交差の各々に対応するように画素１１０がそれぞれ設けられている。
本実施形態では、走査線１１２の本数（行数）が６０８本であり、データ線１１４の本数（列数）が、８２２本ある。画素１１０は走査線１１２とデータ線１１４との交差に対応して設けられている。
【００２３】
６本の画像信号線１７１には、データ信号ＶＩＤ１〜ＶＩＤ６がそれぞれ供給される。各データ線１１４の一端には、サンプリングスイッチ１５０がそれぞれ設けられている。サンプリングスイッチ１５０は、画像信号線１７１に供給されるデータ信号ＶＩＤ１〜ＶＩＤ６の各々を、サンプリングしてデータ線１１４に供給する。各サンプリングスイッチ１５０は、ｎチャネル型の薄膜トランジスター（Thin Film Transistor、以下、ＴＦＴと称する）であり、そのドレインがデータ線１１４に接続される一方、そのゲートは、６本のデータ線１１４を１単位として共通接続されている。
【００２４】
ここで、サンプリングスイッチ１５０のゲートが共通接続されているデータ線１１４を１つのブロックとして考える。このようなブロックを考えた場合、図１において左から数えてｊ列目のデータ線１１４の一端にドレインが接続されたサンプリングスイッチ１５０は、ｊを６で割った余りが「１」であるならば、そのソースが、データ信号ＶＩＤ１が供給される画像信号線１７１に接続される。同様に、ｊを６で割った余りが「２」、「３」、「４」、「５」、「０」であるデータ線１１４にドレインが接続されたサンプリングスイッチ１５０の各々は、そのソースが、データ信号ＶＩＤ２〜ＶＩＤ６が供給される画像信号線１７１にそれぞれ接続されている。
【００２５】
次に、画素１１０について説明する。図２に示されるように、画素１１０においては、ｎチャネル型のＴＦＴ１１６のソースがデータ線１１４に接続されるとともに、ドレインが画素電極１１８に接続される一方、ゲートが走査線１１２に接続されている。また、画素電極１１８に対向するように対向電極１０８が全画素に対して共通に設けられるとともに、一定の電圧ＬＣcomに維持される。そして、これらの画素電極１１８と対向電極１０８との間に液晶層１０５が挟持されている。このため、画素毎に、画素電極１１８、対向電極１０８および液晶層１０５からなる液晶容量が構成されることになる。
また、液晶容量において電荷をリークしにくくさせるために、蓄積容量１０９が画素毎に形成されている。この蓄積容量１０９の一端は、画素電極１１８に接続される一方、その他端は、全画素にわたって共通接地されている。なお、画素１１０におけるＴＦＴ１１６は、走査線駆動回路２００や、シフトレジスター１４２、オア回路１４４、サンプリングスイッチ１５０の構成素子と共通の製造プロセスで形成されている。
【００２６】
次に、有効画素領域とダミー画素領域について、図３を参照して説明する。同図に示す「Ｎ」は、画像の表示に寄与する有効画素であり、「Ｄ」は表示に寄与しないダミー画素である。太枠の内部が有効画素領域であり、その外側がダミー画素領域である。この例では、６０８行のうち上から４行と下から４行はダミー画素領域である。さらに、８２２列のうち左から１１列と右から１１列がダミー画素領域になっている。一方、有効画素領域は、６００行と８００列とで構成される。したがって、有効画素数は横８００×縦６００となり、総画素数は、横８２２×縦６０４となる。
ここで、第１行〜第４行の走査線１１２は、第１群のダミー走査線１１２ｄであり、また、第６０５行〜第６０８行の走査線１１２は、第２群のダミー走査線１１２ｄである。全ての走査線１１２のうちダミー走査線１１２ｄ以外の走査線１１２を通常走査線１１２ｎとすれば、第５行〜第６０４行が通常走査線１１２ｎとなる。ダミー走査線１１２ｄにはダミー画素Ｄのみが接続される。一方、この例では、通常走査線１１２ｎには有効画素とダミー画素が接続される。
また、第１列〜第１１列のデータ線１１４は第１群のダミーデータ線１１４ｄであり、第８１２列〜第８２２列のデータ線１１４は第２群のダミーデータ線１１４ｄである。全てのデータ線１１４のうちダミーデータ線１１４ｄ以外のデータ線１１４を通常データ線１１４ｎとすれば、第１２列〜第８２１列が通常データ線１１４ｎとなる。ダミーデータ線１１４ｄにはダミー画素Ｄのみが接続される。一方、この例では、通常データ線１１４ｎには有効画素とダミー画素とが接続される。
【００２７】
図４に走査線駆動回路２００の回路図を示し、図５にそのタイミングチャートを示す。走査線駆動回路２００は、Ｙ転送開始パルスＳＰＹをＹクロック信号ＹＣＬＫに従って転送して、Ｙ転送信号Ｙ１、Ｙ２、…Ｙ６０２を生成するシフトレジスター１３０と、Ｙ転送信号Ｙ１、Ｙ２、…Ｙ６０２の各々に対応して設けられたナンド回路１３２及びインバーター１３３とを備える。
【００２８】
図５に示すようにＹ転送信号Ｙ１、Ｙ２、…Ｙ６０２は、排他的に順次、ハイレベルになる信号であって、ハイレベル期間がＹクロック信号ＣＬＹの半分の周期となる。また、ナンド回路１３２の一方の入力には、Ｙイネーブル信号ＥＮＢＹが供給される（図４参照）。Ｙ転送信号Ｙ１、Ｙ２、…Ｙ６０２のハイレベル期間はＹイネーブル信号ＥＮＢＹによって制限され、走査信号Ｇ１〜Ｇ６０８が生成される。
【００２９】
Ｙ転送信号Ｙ１に対応するインバーター１３３は、第１行〜第４行のダミー走査線１１２ｄに接続される。このため、走査信号Ｇ１〜Ｇ４は同じ信号波形となり、第１行〜第４行に配置されたダミー画素は、同時に選択される。また、Ｙ転送信号Ｙ６０２に対応するインバーター１３３は、第６０５行〜第６０８行のダミー走査線１１２ｄに接続される。このため、走査信号Ｇ６０５〜Ｇ６０８は同じ信号波形となり、第６０５行〜第６０８行に配置されたダミー画素は、同時に選択される。
【００３０】
従来の液晶表示装置のように、ダミー走査線を１本ずつ順次選択すると、ダミー選択期間Ｗが長くなり、垂直表示期間Ｆに占める有効垂直表示期間Ｆａが短くなる。有効画素へデータ信号を正確に書き込むためには、有効垂直表示期間Ｆａを長くする必要がある。本実施形態においては、第１行〜第４行のダミー走査線１１２ｄを同時に選択すると共に、第６０５行〜第６０８行のダミー走査線１１２ｄを同時に選択したので、ダミー選択期間Ｗを短くし、有効垂直表示期間Ｆａを長くすることができる。
これにより、データ信号の書き込み時間を十分確保して、正確な階調を表示すること可能となる。また、シフトレジスター１３０の段数を減らすことできるので、構成が簡素化され消費電力を低減することができる。
【００３１】
図６は、制御回路４００のうち、データ信号ＶＩＤ１〜ＶＩＤ６の生成に関係する部分の構成を示すブロック図であり、図７はその動作を示すタイミングチャートである。
オア回路４２０には、走査信号Ｇ１及びＧ６０８が供給され、それらの論理和が演算され論理和信号Ｇｗが生成される。論理和信号Ｇｗは、選択回路４１２〜４１６の制御端子に供給されると共に、オア回路４３０の一方の入力端子に供給される。オア回路４３０の他方の入力端子にはプリチャージ期間を指定する指定信号ＮＲＧが供給される。オア回路４３０は論理和信号Ｇｗと指定信号ＮＲＧとの論理和を演算して制御信号ＣＴＬを出力する。
【００３２】
選択回路４１１〜４１６の制御端子には、論理和信号Ｇｗと指定信号ＮＲＧとが供給される。そして、論理和信号Ｇｗがハイレベル（アクティブ）の場合、選択回路４１１〜４１６は、ダミー信号Ｖｄｍを出力する。このため、図７に示すように、論理和信号Ｇｗがハイレベルとなる期間Ｔ１では、データ信号ＶＩＤ１〜ＶＩＤ６として、ダミー信号Ｖｄｍが選択される。
【００３３】
次に、指定信号ＮＲＧがハイレベル（アクティブ）の場合、選択回路４１１〜４１６は、プリチャージ信号Ｖｐｒｅを出力する。このため、プリチャージ信号Ｖｐｒｅがハイレベルとなる期間Ｔ２では、データ信号ＶＩＤ１〜ＶＩＤ６として、プリチャージ信号Ｖｐｒｅが選択される。
【００３４】
次に、論理和信号Ｇｗがローレベル（非アクティブ）且つ指定信号ＮＲＧがローレベル（非アクティブ）の場合、選択回路４１１は画像信号ＶＤ１、選択回路４１２は画像信号ＶＤ２、選択回路４１３は画像信号ＶＤ３、選択回路４１４は画像信号ＶＤ４、選択回路４１５は画像信号ＶＤ５、選択回路４１６は画像信号ＶＤ６を各々出力する。このため、期間Ｔ３では、データ信号ＶＩＤ１〜ＶＩＤ６として、画像信号ＶＤ１〜ＶＤ６が選択される。
【００３５】
次に、画像信号ＶＤ１〜ＶＤ６のデータ構造について説明する。まず、図３に示すように、１行の画素は８２２個あり、そのうちの左端から１１個及び右端から１１個はダミー画素であり黒を表示する。一方、第１２列〜第８１１列は有効画素であり画像を表示する。ダミー画素の黒表示をダミー信号Ｖｄｍで表し、有効画素の画像をＶＤで表すと、画像信号ＶＤ１〜ＶＤ６のデータ構造は図８に示すものとなる。
この結果、第５行〜第６０４行のデータ信号ＶＩＤ１〜ＶＩＤ６は、図８に点線で示す部分についてプリチャージ信号Ｖｐｒｅと画像信号ＶＤ[i]（ｉは１２から８１１までの自然数）とを時分割多重したものとなる。
【００３６】
図１に示すシフトレジスター３００は、Ｘ転送開始パルスＳＰＸをＸクロック信号ＣＬＸに従って転送し、転送パルスＳ１、Ｓ２、…Ｓ１３７を生成する。転送パルスＳ１、Ｓ２、…Ｓ１３７は、オア回路１４４を経て、最終的にサンプリング信号Ｓｐ１、Ｓｐ２、…Ｓｐ１３７として出力される。これらのサンプリング信号Ｓｐ１、Ｓｐ２、…Ｓｐ１３７は、ブロック化されたデータ線１１４に対応するサンプリングスイッチ１５０のゲートに共通に供給される。例えば、左から数えて２番目のブロックには、７列〜１２列目のデータ線１１４に対応するので、これらのデータ線１１４に対応するサンプリングスイッチ１５０のゲートには、サンプリング信号Ｓｐ２が共通に供給される。なお、サンプリングスイッチ１５０を構成するＴＦＴについては、本実施形態ではｎチャネル型としているが、ｐチャネル型としても良いし、両チャネルを組み合わせた相補型としても良い。
【００３７】
本実施形態によれば、有効画素領域の周辺にダミー画素領域を配置したので、液晶セルの状態を周辺回路から有効画素領域にかけて緩やかに変化させることができる。しかも、ダミー画素領域に形成されたダミー走査線１１２ｄを複数本まとめて同時に選択したので、有効画素領域を走査する期間を長くすることができ、有効画素に画像を書き込む時間を十分長く確保することができる。
【００３８】
また、ダミー画素領域にはダミー信号Ｖｄｍを書き込む必要がある。このためには、相展開された画像信号ＶＤ１〜ＶＤ６に、ダミー信号Ｖｄｍを時分割多重する必要がある。ダミー信号Ｖｄｍを時分割多重するためには、ダミー画素領域を選択する期間を特定する必要がある。そして、第１行から第４行のダミー画素領域を選択する期間と、第６０５行から第６０８行のダミー画素領域を選択する期間については、制御回路４００がそれらの期間を生成するのではなく、走査線駆動回路２００で生成された走査信号Ｇ１及びＧ６０８に基づいて論理和信号Ｇｗを生成することによって特定している。従って、制御回路４００の構成を簡素化することができる。
【００３９】
＜２.第２実施形態＞
上述した第１実施形態では、画像信号にダミー信号Ｖｄｍとプリチャージ信号Ｖｐｒｅとが時分割多重されたデータ信号ＶＩＤ１〜ＶＩＤ６を生成して、画像信号線１７１に供給した。これに対して、第２実施形態に係る電気光学装置２では、ダミー信号Ｖｄｍとプリチャージ信号Ｖｐｒｅとが時分割多重されていないデータ信号ＶＩＤ１〜ＶＩＤ６を生成し、プリチャージ回路５００を用いてダミー信号Ｖｄｍ及びプリチャージ信号Ｖｐｒｅの書き込みを行う。
図９は、第２実施形態に係る電気光学装置２のブロック図である。電気光学装置２は、制御回路４００の替わりに制御回路４００Ａを用いる点、オア回路１４４を削除した点、及びプリチャージ回路５００を追加した点を除いて、図１に示す第１実施形態の電気光学装置１と同様に構成されている。
【００４０】
図１０にプリチャージ回路５００の構成を示す。プリチャージ回路は、プリチャージ信号Ｖｐｒｅと、ダミー信号Ｖｄｍとが供給される選択回路５１０と、オア回路５２０及び５３０と、データ線１１４の各々に対して設けられたトランジスター５４０とを備える。
オア回路５２０は、走査信号Ｇ１及びＧ６０８が供給され、それらの論理和が演算され論理和信号Ｇｗが生成される。論理和信号Ｇｗは、選択回路５１０の制御端子に供給されると共に、オア回路５３０の一方の入力端子に供給される。オア回路５３０の他方の入力端子には指定信号ＮＲＧが供給される。オア回路４３０は論理和信号Ｇｗと指定信号ＮＲＧとの論理和を演算する。
【００４１】
選択回路５１０の制御端子には、論理和信号Ｇｗと指定信号ＮＲＧとが供給される。そして、論理和信号Ｇｗがハイレベル（アクティブ）の場合、選択回路５１０は、ダミー信号Ｖｄｍを出力する。次に、指定信号ＮＲＧがハイレベル（アクティブ）の場合、選択回路５１０は、プリチャージ信号Ｖｐｒｅを出力する。次に、論理和信号Ｇｗがローレベル（非アクティブ）且つ指定信号ＮＲＧがローレベル（非アクティブ）の場合、選択回路５１０の出力端子はハイインピーダンス状態となる。
【００４２】
オア回路５３０の出力信号は各トランジスター５４０のゲートに供給される。従って、論理和信号Ｇｗがハイレベル（アクティブ）の期間において、各トランジスター５４０がオン状態となりダミー信号Ｖｄｍがデータ線１１４に供給される。また、指定信号ＮＲＧがハイレベルの場合、各トランジスター５４０がオン状態となりプリチャージ信号Ｖｐｒｅがデータ線１１４に供給される。
【００４３】
第２実施形態も第１実施形態と同様に、液晶セルの状態を周辺回路から有効画素領域にかけて緩やかに変化させることができ、ダミー画素領域に形成されたダミー走査線１１２ｄを複数本まとめて同時に選択したので、有効画素に画像を書き込む時間を十分長く確保することができる。
【００４４】
また、第２実施形態では、プリチャージ回路５００を用いてダミー画素領域にダミー信号Ｖｄｍを書き込むところ、プリチャージ回路５００において、第１行から第４行のダミー画素領域を選択する期間と、第６０５行から第６０８行のダミー画素領域を選択する期間とを生成するのではなく、走査線駆動回路２００で生成された走査信号Ｇ１及びＧ６０８に基づいて論理和信号Ｇｗを生成することによって特定している。従って、プリチャージ回路５００の構成を簡素化することができる。
【００４５】
＜３.第３実施形態＞
上述した第１及び第２実施形態では、シフトレジスター３００を用いてサンプリング信号Ｓｐ１〜Ｓｐ１３７を生成し、データ信号ＶＩＤ１〜ＶＩＤ６をサンプリングして各データ線１１４に供給した。これに対して、第３実施形態の電気光学装置３は、所定数のデータ線１１４ごとに設けられたデマルチプレクサーを用いて、時分割多重されたデータ信号をデータ線１１４に供給する。
図１１は、第３実施形態に係る電気光学装置３のブロック図である。電気光学装置３は、制御回路４００の替わりに制御回路４００Ｂを用いる点、オア回路１４４を削除した点、スイッチングトランジスターの替わりにデマルチプレクサーＤＭＰを用いる点、及び画像信号線１７１の替わりに制御線１７２を用いる点、シフトレジスター３００の替わりにデータ線駆動回路６００を用いる点を除いて、図１に示す第１実施形態の電気光学装置１と同様に構成されている。
【００４６】
デマルチプレクサーＤＭＰは、６本のデータ線１１４に対して１個設けられており、データ線駆動回路６００から供給されるデータ信号Ｄ１〜Ｄ１３７を６本のデータ線１１４に分配する。具体的には、デマルチプレクサーＤＭＰは、６個のトランジスター１５１を備える。各トランジスター１５１のゲートは６本の制御線１７２に各々接続されており、各トランジスター１５１は、選択信号ＳＥＬ１〜ＳＥＬ６によってオン・オフが制御される。また、６個のトランジスター１５１のドレイン及びソースの一方は共通に接続され、その接続点にはデータ線駆動回路６００からデータ信号Ｄ１〜Ｄ１３７が供給される。６個のトランジスター１５１のドレイン及びソースの他方は、６本のデータ線１１４の各々に接続される。
【００４７】
図１２は、選択信号ＳＥＬ１〜ＳＥＬ６の生成に係る制御回路４００Ｂのブロック図である。第１乃至第６信号Ｃ１〜Ｃ６は、図１３に示すように第５行〜第６０４行の走査信号Ｇ４〜Ｇ６０４がアクティブとなる各期間において、排他的にアクティブとなる。第１信号Ｃ１が、あるブロックの左から１番目のデータ線１１４にデータ信号を供給する第１期間Ｔａ１を指定し、第２〜第６信号Ｃ２〜Ｃ６は左から２〜６番目のデータ線１１４にデータ信号を供給する第２〜第６期間Ｔａ２〜Ｔａ６を各々指定する。
【００４８】
図１２に示すオア回路４５０は、走査信号Ｇ１と走査信号Ｇ６０８の論理和を演算して論理和信号Ｇｗを生成する。論理和信号Ｇｗは、オア回路４５１〜４５６の一方の入力端子に供給される。オア回路４５１〜４５６は、第１〜第６信号Ｃ１〜Ｃ６と論理和信号Ｇｗとの論理和を演算して選択信号ＳＥＬ１〜ＳＥＬ６を生成する。
【００４９】
図１４に電気光学装置３のタイミングチャートを示す。この図に示すように、選択信号ＳＥＬ１は、走査信号Ｇ１（及びＧ６０８）がアクティブとなる期間Ｔｘと第１期間Ｔａ１でアクティブとなる。また、選択信号ＳＥＬ２〜ＳＥＬ６は期間Ｔｘと第２〜第６期間Ｔａ２〜Ｔａ６とでアクティブとなる。
例えば、左から第１番目のデマルチプレクサーＤＭＰには、ダミー信号Ｖｄｍのみから構成されるデータ信号Ｄ１が供給される。これは、左から第１番目のブロックに相当する第１列から第６列はダミー画素領域であるため、全てにダミー信号Ｖｄｍを書き込む必要があるからである。これに対して、左から２番目のブロックは、ダミー画素領域と有効画素領域とが混在する。すなわち、第７列から第１１列まではダミー画素領域であるが、第１２列については、第１行〜第４行及び第６０５行〜第６０８行がダミー画素領域である一方、第５行〜第６０４行が有効画素領域となっている。図１４には、第５行の走査信号Ｇ５がアクティブとなる期間における第１〜第６期間Ｔａ１〜Ｔａ６が例示されている。データ信号Ｄ２に着目すると、第１〜第５期間Ｔａ１〜Ｔａ５はダミー信号Ｖｄｍであるが、第６期間Ｔａ６は画像信号ＶＤとなっている。この第６期間Ｔａ６において、第５行第１２列の画素１１０に対して画像信号ＶＤの書き込みがなされる。
【００５０】
第３実施形態も第１及び第２実施形態と同様に、液晶セルの状態を周辺回路から有効画素領域にかけて緩やかに変化させることができ、ダミー画素領域に形成されたダミー走査線１１２ｄを複数本まとめて同時に選択したので、有効画素に画像を書き込む時間を十分長く確保することができる。
【００５１】
また、第３実施形態では、ダミー画素領域にダミー信号Ｖｄｍを書き込むところ、制御回路４００Ｂにおいて、第１行から第４行のダミー画素領域を選択する期間と、第６０５行から第６０８行のダミー画素領域を選択する期間とを個別に生成するのではなく、走査線駆動回路２００で生成された走査信号Ｇ１及びＧ６０８に基づいて論理和信号Ｇｗを生成し、論理和信号Ｇｗがアクティブになる期間において、選択信号ＳＥＬ１〜ＳＥＬ６をアクティブにしている。従って、制御回路４００Ｂの構成を簡素化することができる。
【００５２】
＜４．変形例＞
本発明は上述した実施形態に限定されるものではなく、例えば、以下の変形が可能である。
（１）上述した各実施形態において、走査線駆動回路２００は、第１行〜第４行の走査線１１２と第６０５行〜第６０８行の走査線１１２とを異なるタイミングで選択したが、これを同じタイミングで選択してもよい。
この場合、走査線駆動回路２００は、図１５に示すように構成できる。同図に示すように、シフトレジスター１３１は、Ｙ転送信号Ｙ１〜Ｙ６０１を生成する。即ち、図４に示すシフトレジスター１３０より段数が一つ少ない。これは、Ｙ転送信号Ｙ１に基づいて走査信号Ｇ１〜Ｇ４のみならず走査信号Ｇ６０５〜Ｇ６０８を生成するからである。
図１６に走査信号Ｇ１〜Ｇ６０８のタイミングチャートを示す。この図に示すようにダミー選択期間Ｗが１Ｈのみとなるから、垂直表示期間Ｆに占める有効垂直表示期間Ｆａの割合が大きくなる。この結果、画素に画像信号をより正確に書き込むことが可能となる。
【００５３】
（２）上述した各実施形態では、上側のダミー領域に対応する４本のダミー走査線１１２ｄと下側のダミー領域に対応するダミー走査線１１２ｄとを各々同時に選択したが、本発明はこれに限定されるものではなく、２本以上のダミー走査線１１２Ｄを同時に選択するものであってもよい。この場合にも、ダミー走査線を１本ずつ選択する場合と比較して、ダミー選択期間Ｗを短くできるので、垂直表示期間Ｆに占める有効垂直表示期間Ｆａの割合が大きくなる。この結果、画素に画像信号をより正確に書き込むことが可能となる。
例えば、走査線駆動回路２００を、図１７に示すように構成してもよい。この場合、シフトレジスター１３４は６０４個のＹ転送信号Ｙ１〜Ｙ６０４を生成する。また、Ｙ転送信号Ｙ１に対応して同じ波形の走査信号Ｇ１及びＧ２が生成され、Ｙ転送信号Ｙ２に対応して同じ波形の走査信号Ｇ３及びＧ４が生成され、Ｙ転送信号Ｙ６０３に対応して同じ波形の走査信号Ｇ６０５及びＧ６０６が生成され、Ｙ転送信号Ｙ６０４に対応して同じ波形の走査信号Ｇ６０７及びＧ６０８が生成される。
【００５４】
図１８に、この変形例に係る走査線駆動回路のタイミングチャートを示す。この図に示すように、上側のダミー画素領域を選択するために２水平走査期間、下側のダミー画素領域を選択するために２水平走査期間を要する。但し、ダミー走査線を１本ずつ選択する場合と比較して、ダミー選択期間Ｗを短くできる。
この場合、図６に示すオア回路４２０、図１０に示すオア回路５２０、図１２に示すオア回路４５０に替わりに、４入力のオア回路を用い、入力端子に走査信号Ｇ１、Ｇ３、ｇ６０５、及びＧ６０７を供給すればよい。
【００５５】
＜５．応用例＞
以上の各形態に例示した電気光学装置１（２，３）は、各種の電子機器に利用され得る。図１９から図２１には、電気光学装置１を採用した電子機器の具体的な形態が例示されている。
【００５６】
図１９は、電気光学装置１（２，３）を採用した可搬型のパーソナルコンピューターの斜視図である。パーソナルコンピューター２０００は、各種の画像を表示する電気光学装置１と、電源スイッチ２００１やキーボード２００２が設置された本体部２０１０とを具備する。
【００５７】
図２０は、電気光学装置１（２，３）を適用した携帯電話機の斜視図である。携帯電話機３０００は、複数の操作ボタン３００１およびスクロールボタン３００２と、各種の画像を表示する電気光学装置１０とを備える。スクロールボタン３００２を操作することによって、電気光学装置１０に表示される画面がスクロールされる。
【００５８】
図２１は、電気光学装置１（２，３）を適用した投射型表示装置（３板式のプロジェクター）４０００の模式図である。投射型表示装置４０００は、相異なる表示色（赤色，緑色，青色）に対応する３個の電気光学装置１０R，１０G，１０Bを含んで構成される。照明光学系４００１は、照明装置（光源）４００２からの出射光のうち赤色成分ｒを電気光学装置１０Rに供給し、緑色成分ｇを電気光学装置１０Gに供給し、青色成分ｂを電気光学装置１０Bに供給する。各電気光学装置１０は、照明光学系４００１から供給される各単色光を表示画像に応じて変調する光変調器（ライトバルブ）として機能する。投射光学系４００３は、各電気光学装置１０からの出射光を合成して投射面４００４に投射する。
【００５９】
なお、本発明に係る電気光学装置が適用される電子機器としては、図１９から図２１に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電卓，ワードプロセッサー，ワークステーション，テレビ電話，ＰＯＳ端末，ビデオプレーヤー，タッチパネルを備えた機器等などが挙げられる。
【符号の説明】
【００６０】
１，２，３……電気光学装置、２００……走査線駆動回路、１１２……走査線、１１４……画素、Ｄ……ダミー画素、Ｎ……有効画素、３００……シフトレジスター、４２０，４５０，５２０……論理和回路、４１１〜４１６……選択回路、Ｖｄｍ……ダミー信号、Ｖｐｒｅ……プリチャージ信号、５００……プリチャージ回路、６００……データ線駆動回路、ＤＭＰ……デマルチプレクサー、ＳＥＬ１〜ＳＥＬ６……選択信号。
【図１】
2012168307.tif 000003
【図２】
2012168307.tif 000004
【図３】
2012168307.tif 000005
【図４】
2012168307.tif 000006
【図５】
2012168307.tif 000007
【図６】
2012168307.tif 000008
【図７】
2012168307.tif 000009
【図８】
2012168307.tif 000010
【図９】
2012168307.tif 000011
【図１０】
2012168307.tif 000012
【図１１】
2012168307.tif 000013
【図１２】
2012168307.tif 000014
【図１３】
2012168307.tif 000015
【図１４】
2012168307.tif 000016
【図１５】
2012168307.tif 000017
【図１６】
2012168307.tif 000018
【図１７】
2012168307.tif 000019
【図１８】
2012168307.tif 000020
【図１９】
2012168307.tif 000021
【図２０】
2012168307.tif 000022
【図２１】
2012168307.tif 000023